(57)【要約】  手動で作動されるクロマトグラフィー装置であって、液体試料を収容するためのチャンバー、計量バルブ付きポンプ、およびクロマトグラフィー要素を含み、ポンプが所定量の液体を試料チャンバーからクロマトグラフィー要素まで移動させる。【選択図】図２
2018538548.tif 000002
【特許請求の範囲】
【請求項１】
手動で作動されるクロマトグラフィー装置であって、液体試料を収容するためのチャンバー、計量バルブ付きポンプ、およびクロマトグラフィー要素を含み、前記ポンプが所定量の液体を前記試料チャンバーから前記クロマトグラフィー要素まで移動させる、装置。
【請求項２】
前記クロマトグラフィー要素がサイズ排除クロマトグラフィー要素である、請求項１に記載の装置。
【請求項３】
前記装置が第１の部分と、前記第１の部分内に収まることができる分離した第２の部分とを含み、好ましくは、前記ポンプが前記装置の前記第１の部分に作動可能に係合している前記装置の前記第２の部分によって作動される、請求項１または２に記載の装置。
【請求項４】
前記計量バルブが前記装置の前記第１の部分に作動可能に係合している前記装置の前記第２の部分によって作動される、請求項３のいずれかに記載の装置。
【請求項５】
前記ポンプが所定量の液体を前記試料チャンバーから前記サイズ排除クロマトグラフィー要素を介して移動させる、請求項１〜４のいずれか１項に記載の装置。
【請求項６】
前記ポンプが所定量の液体を前記試料チャンバーから前記サイズ排除クロマトグラフィー要素を介して試料収集容器まで移動させる、請求項１〜５のいずれか１項に記載の装置。
【請求項７】
前記計量バルブが可動計量部材によって分けられた上部と下部を有する計量チャンバーを含む、請求項１〜６のいずれかに記載の装置。
【請求項８】
前記計量チャンバーの前記上部と下部が選択的に流体連通する、請求項７に記載の装置。
【請求項９】
前記計量バルブが前記計量チャンバーの前記上部と下部との間に流体連通をもたらすための圧力放出チャネルを含む、請求項７または８に記載の装置。
【請求項１０】
前記ポンプが空気圧式である、請求項１〜９のいずれかに記載の装置。
【請求項１１】
流体の前記所定量が約０．１ｍｌ〜約１００ｍｌ、好ましくは約０．２５ｍｌ〜約１０ｍｌ、より好ましくは約０．５ｍｌ〜約１ｍｌである、請求項１〜１０のいずれかに記載の装置。
【請求項１２】
前記装置が、前記試料が前記サイズ排除クロマトグラフィー要素に到達する前に前記試料を処理するための溶解物質を含む、請求項１〜１１のいずれかに記載の装置。
【請求項１３】
前記溶解物質が前記計量チャンバー内に位置している、請求項１〜１２のいずれかに記載の装置。
【請求項１４】
前記溶解物質が界面活性剤または塩基からなる群から選択される、請求項１３に記載の装置。
【請求項１５】
前記溶解物質が塩基、好ましくは水酸化カリウムもしくは水酸化ナトリウム、好ましくは水酸化カリウムもしくは水酸化ナトリウムの少なくとも１つのペレット、または水酸化カリウムでドープ処理された材料を含む、請求項１４に記載の装置。
【請求項１６】
前記溶解物質がドデシル硫酸ナトリウム、Ｔｒｉｔｏｎ（登録商標）、Ｔｗｅｅｎ（登録商標）、Ｂｒｉｊ（登録商標）、臭化セチルトリメチルアンモニウムおよびその組み合わせからなる群から選択される界面活性剤を含む、請求項１４に記載の装置。
【請求項１７】
前記クロマトグラフィー要素が分離チャンバーを含む、請求項１〜１６のいずれかに記載の装置。
【請求項１８】
前記分離チャンバーが約０．１ｍｌ〜約１００ｍｌ、好ましくは約０．２５ｍｌ〜約１０ｍｌ、より好ましくは約０．５ｍｌ〜約１．５ｍｌ、好ましくは約１ｍｌの容積を有する、請求項１７に記載の装置。
【請求項１９】
前記分離チャンバーがサイズ排除クロマトグラフィーゲルを含有する、請求項１７または１８に記載の装置。
【請求項２０】
前記サイズ排除クロマトグラフィーゲルが等温核酸増幅のための緩衝液、好ましくは酢酸マグネシウムを含有する水溶液を含む、請求項１９に記載の装置。
【請求項２１】
前記装置が前記所定量の液体の後に、所定量の空気を前記クロマトグラフィー要素に移動させる、請求項１〜２０のいずれかに記載の装置。
【請求項２２】
等温核酸増幅のための液体試料を調製する装置であって、第１の部分と、前記第１の部分内に収まることができる分離した第２の部分とを含み、前記第１の部分が前記液体試料を収容するためのチャンバーを含み、および前記第２の部分が核酸増幅阻害物質および／または蛍光物質を前記液体試料から除去するための分離要素を含み、前記第２の部分が前記第１の部分内に収まると、前記第１の部分と第２の部分が作動可能に係合して、液体試料を前記試料チャンバーから前記分離要素まで移動させる、装置。
【請求項２３】
前記第１の部分が前記試料チャンバーから試料の所定量を計量するための計量バルブを含む、請求項２２に記載の装置。
【請求項２４】
前記計量バルブが前記装置の前記第１の部分に作動可能に係合している前記装置の前記第２の部分によって作動される、請求項２３に記載の装置。
【請求項２５】
前記装置が所定量の液体を前記試料チャンバーから前記分離要素を介してポンピングする、請求項２２〜２４のいずれか１項に記載の装置。
【請求項２６】
前記ポンプが所定量の液体を前記試料チャンバーから前記分離要素を介して試料収集容器に移動させる、請求項２２〜２５のいずれか１項に記載の装置。
【請求項２７】
前記計量バルブが可動計量部材によって分けられた上部と下部を有する計量チャンバーを含む、請求項２３〜２６のいずれか１項に記載の装置。
【請求項２８】
前記計量チャンバーの前記上部と下部が選択的に流体連通する、請求項２７に記載の装置。
【請求項２９】
前記計量バルブが圧力放出チャネルを含む、請求項２７または２８に記載の装置。
【請求項３０】
前記圧力放出チャネルが前記計量チャンバーの前記上部と下部の間に流体連通をもたらす、請求項２９のいずれか１項に記載の装置。
【請求項３１】
前記流体の所定量が約０．１〜約１００ｍｌ、好ましくは約０．２５ｍｌ〜約１０ｍｌ、より好ましくは約０．５ｍｌ〜約１ｍｌである、請求項２３〜３０のいずれか１項に記載の装置。
【請求項３２】
前記装置が、前記試料が前記分離要素に到達する前に、前記試料を処理するための溶解物質を含む、請求項２２〜３１のいずれか１項に記載の装置。
【請求項３３】
溶解物質が前記計量チャンバー内に位置している、請求項２３〜３１に従属する場合の請求項３２に記載の装置。
【請求項３４】
前記溶解物質が水酸化カリウムもしくは水酸化ナトリウム、好ましくは水酸化カリウムでドープ処理された物質、または水酸化カリウムもしくは水酸化ナトリウムの少なくとも１つのペレットを含む、請求項３２または請求項３３のいずれかに記載の装置。
【請求項３５】
前記分離要素が分離チャンバーを含む、請求項２２〜３４のいずれか１項に記載の装置。
【請求項３６】
前記分離チャンバーが約０．１ｍｌ〜約１００ｍｌ、好ましくは約０．２５〜約１０ｍｌ、より好ましくは約０．５〜約１．５ｍｌ、好ましくは約１ｍｌの容積を有する、請求項２２〜３５のいずれか１項に記載の装置。
【請求項３７】
前記分離チャンバーがサイズ排除クロマトグラフィーゲルを含有する、請求項３５または３６に記載の装置。
【請求項３８】
前記サイズ排除クロマトグラフィーゲルが等温核酸増幅のための緩衝液、好ましくは酢酸マグネシウムを含有する水溶液を含む、請求項３７に記載の装置。
【請求項３９】
前記装置が前記所定量の液体の後に、所定量の空気を前記分離要素に移動させる、請求項２２〜３８のいずれか１項に記載の装置。
【請求項４０】
液体試料上で等温核酸増幅を行うためのキットであって、
ａ．増幅のために核酸を除去することなく、液体試料から核酸増幅阻害物質および／または蛍光物質を除去することができる分離要素を有する試料調製装置、
ｂ．調製した試料を収容するための試料リザーバー、
ｃ．等温核酸増幅のための試薬を含有する反応チャンバー、
ｄ．調製試料を試料リザーバーから前記反応チャンバーまで移動させるための、好ましくはピペットチップとプランジャーアセンブリとを有するハウジングを含む液体移動デバイス
を含む、キット。
【請求項４１】
前記試料調製装置が、前記分離要素がライセートから核酸増幅阻害物質および／または蛍光物質を除去する前に、前記液体試料を溶解物質に曝す、請求項４０に記載のキット。
【請求項４２】
前記装置が請求項１〜３９もしくは７８もしくは７９のいずれか１項に請求される、請求項４０または４１に記載のキット。
【請求項４３】
４０〜４２のいずれか１項に記載のキットおよび試料処理装置を含む、等温核酸増幅を行うためのシステム。
【請求項４４】
等温核酸増幅を行うための方法であって、
ａ．検査のために生液体試料を準備すること、
ｂ．核酸増幅阻害物質および／または蛍光物質を除去するために前記生液体試料を処理すること、
ｃ．前記処理された試料上で等温核酸増幅を行うこと、および
ｄ．増幅した核酸をモニターすること
を含む、方法。
【請求項４５】
前記処理ステップがサイズ排除クロマトグラフィーを含む、請求項４４に記載の方法。
【請求項４６】
前記ライセート上でサイズ排除クロマトグラフィーを行う前に、前記処理ステップが前記生試料を溶解物質に曝すことを含む、請求項４４または４５に記載の方法。
【請求項４７】
前記処理ステップが前記核酸増幅阻害物質および／または蛍光物質を除去する前、除去中または除去した後、好ましくは除去中に、前記生試料を緩衝することを含む、請求項４４〜４６のいずれかに記載の方法。
【請求項４８】
前記処理ステップが請求項１〜３９もしくは７７もしくは７８のいずれか１項に記載の装置で行われる、請求項４４〜４７のいずれか１項に記載の方法。
【請求項４９】
前記生液体試料が尿、血液、血漿、血清、唾液、脳脊髄液、涙液からなる群から選択され、または膣スワブ、鼻スワブ、喉スワブ、陰茎スワブ、肛門スワブもしくは皮膚スワブから抽出される、請求項４４〜４８のいずれか１項に記載の方法。
【請求項５０】
ポンプのための計量バルブであって、乾燥した溶解物質を含有する計量チャンバーを含む、計量バルブ。
【請求項５１】
前記溶解物質が水酸化カリウムまたは水酸化ナトリウムである、請求項５０に記載の計量バルブ。
【請求項５２】
前記水酸化カリウムが、前記計量チャンバーの内側を覆う物質、すなわちメッシュまたは連続気泡フォーム上に提供される、請求項５１に記載の計量バルブ。
【請求項５３】
ポンプのための計量バルブであって、
可動計量部材によって分けられた上部と下部を有する計量チャンバー、および
圧力放出チャネルを含み、
前記計量部材が上部を下部から分ける初期位置から、前記圧力放出チャネルが前記計量チャンバーの下部と前記計量チャンバーの上部との間に流体連動をもたらす以降の位置まで移動できるように、前記計量部材および圧力放出チャネルが配置される、計量バルブ。
【請求項５４】
前記計量部材がその初期位置からその以降の位置に向かって移動するとき、前記計量チャンバーの下部内の圧力が最初は上昇する、請求項５３に記載の計量バルブ。
【請求項５５】
前記上部と下部が一旦流体連通されると、空気が圧力下で前記圧力放出チャネルに沿って移動し、前記計量チャンバーの上部内に流体、通常液体、を移動させる、請求項５３または５５に記載の計量バルブ。
【請求項５６】
流体出口チャネルをさらに含み、使用中、前記流体が前記出口チャネルに沿って移動し、それによって前記計量バルブを出る、請求項５３〜５６のいずれか１項に記載の計量バルブ。
【請求項５７】
前記計量バルブが可動アクチュエータをさらに含み、および流体出口チャネルが前記可動アクチュエータ内に位置している、請求項５３〜５６のいずれか１項に記載の計量バルブ。
【請求項５８】
前記アクチュエータが移動することで前記出口チャネルからの流体の所定量が計量されるように、前記可動アクチュエータが前記計量部材と作動可能に係合する、請求項５７に記載の計量バルブ。
【請求項５９】
前記計量部材が前記計量チャンバーの内壁とともに、締まりばめ、好ましくは液密な締まりばめを有する、請求項５３〜５８のいずれか１項に記載の計量バルブ。
【請求項６０】
前記計量チャンバーの内壁および前記計量部材の外壁がマッチする断面、一般的にはＤ形の断面を有する、請求項５３〜５９のいずれか１項に記載の計量バルブ。
【請求項６１】
前記計量部材がカップである、請求項５３〜６０のいずれか１項に記載の計量バルブ。
【請求項６２】
前記可動アクチュエータが前記カップの内部床に作動可能に係合する、請求項５７〜６１のいずれか１項に記載の計量バルブ。
【請求項６３】
請求項５１〜６２のいずれか１項に記載の計量バルブを含む、ポンプ。
【請求項６４】
単回使用の計量バルブを製造する方法であって、
ａ．第１の開口部と第２の開口部を有する計量チャンバーと、前記チャンバーの内壁に沿って部分的に伸びる圧力放出チャネルとを準備するステップ、
ｂ．前記計量チャンバーを第１の部分と第２の部分に分けるために前記計量チャンバー内に収まることができる計量部材を準備するステップ、
ｃ．前記圧力放出チャネルが前記第１の部分と第２の部分との間に流体連通をもたらさないように、前記計量チャンバー内に前記計量部材を位置づけるステップ、および
ｄ．前記計量チャンバーの開口部をシールで密封するステップ
を含む、方法。
【請求項６５】
前記計量部材が前記計量部材内で移動できる、請求項６４に記載の方法。
【請求項６６】
密封される開口部を介して前記計量部材が位置にスライドする、請求項６４または６５に記載の方法。
【請求項６７】
前記第２の開口部が密封される、請求項６４〜６６のいずれか１項に記載の方法。
【請求項６８】
前記計量部材が前記第１の開口部を通って移動しないように、好ましくはアバットメントによって、より好ましくは環状アバットメントによって前記第１の開口部で防止される、請求項６４〜６７のいずれか１項に記載の方法。
【請求項６９】
前記計量部材が前記第２の開口部を通って前記計量チャンバーに入り、前記計量部材がアバットメントと係合するまで、前記計量チャンバーに沿って進む、請求項６４〜６８のいずれか１項に記載の方法。
【請求項７０】
前記計量部材が前記計量チャンバーとともに締まりばめ、好ましくは液密な締まりばめを有する、請求項６４〜６９のいずれか１項に記載の方法。
【請求項７１】
前記計量部材がカップである、請求項６４〜７０のいずれか１項に記載の方法。
【請求項７２】
第１の部分と、前記第１の部分内に作動可能に収まることができる第２の部分とを含む手動で作動するポンプであって、前記第１の部分が液体試料を収容するための計量チャンバーを備える計量バルブ、可動計量部材および圧力放出チャネルを含み、前記第２の部分が、前記第２の部分が前記第１の部分内に収まると、前記計量部材と作動可能に係合するように配置されたアクチュエータを含み、前記第２の部分が前記第１の部分に作動可能に係合すると、所定量の流体が出口チャネルを通って前記ポンプを出る、ポンプ。
【請求項７３】
前記出口チャネルが前記第２の部分、好ましくは前記アクチュエータ内に設けられている、請求項７２に記載のポンプ。
【請求項７４】
前記計量部材が、前記計量チャンバーの上部が前記計量チャンバーの下部から分けられている初期位置から、前記圧力放出チャネルが前記計量チャンバーの下部と前記計量チャンバーの上部との間に流体連通をもたらす以降の位置まで移動できるように、前記計量部材および圧力放出チャネルが配置されている、請求項７２〜７３のいずれか１項に記載のポンプ。
【請求項７５】
前記ポンプが単回使用である、請求項７２〜７４のいずれか１項に記載のポンプ。
【請求項７６】
流体を計量するためのポンプであって、
試料チャンバーおよび計量チャンバーを含む容器と、
アクチュエータの遠位部分に開口部を有する流体出口チャネルを含有する前記アクチュエータとを含み、
前記アクチュエータの遠位端が前記試料チャンバー内に位置している第１の位置から、前記流体出口チャネルの前記開口部が前記計量チャンバー内に位置している第２の位置まで、前記アクチュエータが移動でき、および前記アクチュエータが第１の位置にあるとき、前記試料チャンバーが計量チャンバーと流体連通しており、および前記アクチュエータが第２の位置にあるとき、前記試料チャンバーが前記計量チャンバーから分離されており、
前記計量チャンバーが可動計量部材によって上部と下部に分けられており、および前記計量チャンバーが圧力放出チャネルをさらに含み、および
前記アクチュエータがその第１の位置からその第２の位置に移動されると、前記計量部材が、前記計量部材が上部を下部から分ける初期位置から、前記圧力放出チャネルが前記計量チャンバーの下部と前記計量チャンバーの上部との間に流体連通をもたらす以降の位置まで、前記計量部材が移動するように、前記計量部材、前記圧力放出チャネルおよび前記アクチュエータが配置されている、ポンプ。
【請求項７７】
前記アクチュエータが前記第２の位置にあるとき、環状シールが前記アクチュエータの外壁と係合して前記計量チャンバーから前記試料チャンバーを分ける、請求項７６に記載のポンプ。
【請求項７８】
等温核酸増幅のための液体試料を調製する装置であって、請求項６３もしくは７２〜７７のいずれか１項に記載のポンプと、核酸増幅阻害物質および／または蛍光物質を除去するための分離要素とを含む、装置。
【請求項７９】
前記分離要素がサイズ排除クロマトグラフィーゲルを含む分離チャンバーを含有する、請求項７８に記載の装置。
【発明の詳細な説明】
【技術分野】
【０００１】
本発明は、等温核酸増幅のための試料の調製に関する。特に、手動操作クロマトグラフィー装置、それに関する有用な組成物、等温核酸増幅のための試料を調製するための装置、等温核酸増幅を行うためのキット、および等温核酸増幅を行うための方法に関する。本発明は、それに関する有用なポンプおよび計量バルブも提供する。
【背景技術】
【０００２】
生物学的反応に関与する多くの診断検査は、熟練した技術者および／または複雑な装置によって検査室で行われる必要がある。そのような検査室は、政府規制の対象であり得る。そのような規則を遵守するコストは、患者およびヘルスケア支払機関への診断検査のコストを増加させ、ポイントオブケア施設からそのような検査を排除することがあり得る。
【０００３】
国際公開第２０１３／０４１７１３号は、等温核酸増幅を行う際に有用なポイントオブケアシステムを開示する。
【０００４】
しかし、既知の核酸増幅アッセイにおいて、特定の状況では、特定の体液、例えば、尿、血液、血漿、血清、唾液、脳脊髄液、涙液および汗を検査するために、または膣スワブ、鼻スワブ、喉スワブ、陰茎スワブ、肛門スワブもしくは皮膚スワブから抽出するために、生試料は、それらの検査前に、いくつかの調製ステップを経る必要があり得ることが分かった。
【０００５】
したがって、等温核酸増幅および他の検査のための試料のポイントオブケア調製を可能にする装置、方法およびキットは依然として必要とされている。そのような装置は、使い易く、かつ安価に製造できることが必要である。
【０００６】
本発明は、従来技術でこれらおよび他の課題を対処する。
【発明の概要】
【０００７】
したがって、第１の態様において、本発明は、クロマトグラフィー装置を提供する。装置は、好ましくは手動で作動される。装置は、液体試料を収容するためのチャンバー、計量バルブ付きのポンプおよびクロマトグラフィー要素を含む。好ましくは、装置はサイズ排除クロマトグラフィー装置であり、クロマトグラフィー要素はサイズ排除クロマトグラフィー要素であり、ゲル濾過クロマトグラフ要素が特に好ましい。使用中、ポンプは所定量の液体を試料チャンバーからクロマトグラフィー要素まで移動させる。一般的に、ポンプは所定量の液体を試料チャンバーからクロマトグラフィー要素を通って移動させる。好ましくは、ポンプは所定量の液体を試料チャンバーからクロマトグラフィー要素を通って試料収集容器まで移動させる。好ましくは、装置は単回使用である。
【０００８】
代替の固定相クロマトグラフィー要素も、本発明の装置で使用されてもよい。好適な代替の固定相クロマトグラフィー要素としては、陽イオン／陰イオン交換クロマトグラフィー要素を含むイオン交換クロマトグラフィー要素、逆相クロマトグラフィー要素およびアフィニティークロマトグラフィー要素が挙げられるが、これに限定されるものではない。したがって、本発明の装置は、イオン交換クロマトグラフィー、逆相クロマトグラフィーおよびアフィニティークロマトグラフィーで使用することができる。
【０００９】
好ましくは、装置は一挙動で、一般的には一押しまたは一回転で作動可能である。
【００１０】
一般的には、使用中、ポンプおよび／またはポンピングは空気圧式である。これは、装置の分離性能が装置を作動させる力および速度から実質的に独立していることを意味するので、有利である。基本的には、液体試料がクロマトグラフィー要素を通過する速度は、ユーザによって加えられる力から実質的に独立している。
【００１１】
好ましくは、液体試料の処理は、少なくとも約３０秒、少なくとも約１分、少なくとも約２分、少なくとも約３分、少なくとも約４分、少なくとも約５分、少なくとも約６分、少なくとも約７分、少なくとも約８分、少なくとも約９分、少なくとも約１０分の所定時間内に完了する。好ましくは約１０分未満、好ましくは約８分未満、好ましくは約７分未満、好ましくは約６分未満、好ましくは５分未満、好ましくは４分未満に完了する。液体試料の処理は、約１分から約５分の所定時間内に完了するのが好ましく、特に約１分から約３分までが好ましい。
【００１２】
実施形態において、流体の所定量は、約０．１から約１００ｍｌであり、好ましくは、約０．２５ｍｌから約１０ｍｌ、より好ましくは約０．５ｍｌから約１ｍｌまである。好ましくは、流体の所定量は、少なくとも約１００μＬ、少なくとも約２００μＬ、少なくとも約３００μＬ、少なくとも約４００μＬ、少なくとも約５００μＬ、少なくとも約６００μＬ、少なくとも約７００μＬ、少なくとも約８００μＬ、少なくとも約９００μＬ、少なくとも約１ｍＬ、少なくとも約２ｍＬ、少なくとも約３ｍＬ、少なくとも約４ｍＬ、少なくとも約５ｍＬである。
【００１３】
本発明のすべての態様において、検査される試料、すなわち液体試料または生試料は、一般的に生体液、例えば、尿、血液、血漿、血清、唾液、脳脊髄液、涙液であり、または、膣スワブ、鼻スワブ、喉スワブ、陰茎スワブ、肛門スワブもしくは皮膚スワブから抽出する。
【００１４】
上記に示したものなどの特定の流体の生試料が、一部の状況では、アッセイの実行に負に影響する物質、具体的には、等温核酸増幅アッセイの実行に負に干渉する物質を含み得ることが分かった。負の干渉は、核酸増幅それ自体および／または蛍光を発する物質を阻害する形をとることがあり、その結果増幅が確実に検出することができない。これらのアッセイ干渉物質が標的核酸よりも低い分子量を有する傾向があり、したがってサイズ排除クロマトグラフィーによって除去し得ることが分かった。本発明は、ポイントオブケア環境にあっては、サイズ排除クロマトグラフィーが単純な単一ステップ処理で行われることを可能にする。それによって、検査がより速く行われ、必要ないかなる処理もより迅速に実行されることを可能にし、患者とヘルスケア専門家共に利点をもたらす。すべてのアッセイ／核酸干渉物質が除去されるというわけではないが、しかし十分な量を除去して、核酸増幅が実行され、測定されることを可能にすることが認識される。一般的には、実質的にすべての核酸増幅干渉物質は除去される。一般的には、核酸増幅干渉物質は塩および低分子量分子、例えば、液体試料中に存在する、通常約５０００ｋＤａ未満の分子量のタンパク質または脂質である。一般的に、サイズ排除クロマトグラフィー要素は、分子量が約５０００ｋＤａ未満の分子を除去する。当業者は、分子量カットオフが異なるクロマトグラフィー樹脂を選択することによって増加または減少し得ることを理解する。
【００１５】
本発明を用いて行うことができる等温核酸増幅アッセイとしては、リコンビナーゼポリメラーゼ増幅法（ＲＰＡ）、ニッキングおよび伸長増幅反応（ＮＥＡＲ）、鎖置換増幅法およびループ介在等温増幅法が挙げられる。
【００１６】
ニッキングおよび伸長増幅反応法は、国際公開第２００９／０１２２４６号に詳細に論じられており、これを参考によって本明細書に取り込む。
【００１７】
リコンビナーゼポリメラーゼ増幅反応は、国際公開第２００３／０７２８０５号、同第２００５／１１８８５３号、同第２０１０／１４１９４０号、同第２００８／０３５２０５号、同第２００７／０９６７０２号、同第２０１１／０３８１９７号および同第２０１２／１３８９８９号に詳細に論じられており、その内容は参照によって本明細書に取り込まれる。
【００１８】
等温核酸増幅アッセイと同様に、本発明を用いて、イムノアッセイ、質量分光光度アッセイおよびポリメラーゼ連鎖反応アッセイのための液体試料を調製することもできる。
【００１９】
本発明の実施形態において、装置は第１の部分と、好ましくは第１の部分内に収まることができる分離した、第２の部分とを含む。一般的に、第１の部分および第２の部分は、作動可能に係合して、所定量の流体を試料チャンバーからクロマトグラフィー要素まで移動させる。ポンプは、装置の第１の部分に作動可能に係合している装置の第２の部分によって作動されることができる。
【００２０】
一般的に、計量バルブは、可動計量部材によって分けられた上部と下部を有する計量チャンバーを含む。したがって、計量チャンバーの上部および下部は、容積が可変である。一般的に、計量部材と計量チャンバーは、マッチする非対称の断面を有する。一般的に、計量チャンバーの内壁は、Ｄ形の断面を有する。同様に、計量部材の外壁は、通常、計量チャンバー内に収まることができる、Ｄ形の断面を有する。一般的に、計量部材は、計量チャンバーの内壁とともに、締まりばめ、好ましくは液密な締まりばめを形成する。好ましくは、計量部材はカップである。
【００２１】
実施形態において、計量チャンバーの上部および下部は、選択的に流体連通する。すなわち、上部と下部が流体連通する配置、および両部が流体連通しない他の配置にすることができる。計量バルブは、例えば、計量チャンバーの上部と下部の間に流体連通をもたらすために、流体バイパスまたは圧力放出チャネルを含むことができる。流体バイパスチャネルと関連して計量部材の動きは、計量チャンバーの上部と下部の間の選択的流体連通を可能にし得る。計量部材が流体バイパスチャネルの上にある場合、計量チャンバーの上部と下部との間に流体連通はない。しかし、計量部材は、流体バイパスチャネルが露出するまで下げることができる。一般的に、流体バイパスチャネルは、圧力放出チャネルである。一般的に、流体バイパスチャネルは、計量の下部からチャンバーの上部に圧力下の空気を放出する。
【００２２】
実施形態において、装置は、試料がクロマトグラフィー要素に到達する前に試料を処理するための溶解物質を含む。試料を溶解物質に曝すことにより、液体試料中に存在するいかなる細胞も迅速に溶解させ、検査のための細胞内核酸を放出させる。一般的に、溶解物質は計量チャンバー内に位置している。溶解物質は、好ましくは界面活性剤または塩基からなる群から選択される。好ましい塩基としては、水酸化カリウムおよび水酸化ナトリウムが挙げられる。一般的に、メッシュによって所定の位置に保持されている少なくとも１つのペレットの水酸化カリウムまたは水酸化ナトリウムが特に好ましい。好ましい界面活性剤は、ドデシル硫酸ナトリウム、Ｔｒｉｔｏｎ（登録商標）、Ｔｗｅｅｎ（登録商標）、Ｂｒｉｊ（登録商標）、臭化セチルトリメチルアンモニウムおよびその組み合わせからなる群から選択されることができる。一般的に、溶解物質は乾燥している。
【００２３】
クロマトグラフィーより先に液体試料の内容物を溶解することは有利であり、したがって細胞溶解の間に生成される等温核酸増幅阻害物質も除去される。
【００２４】
一般的に、クロマトグラフィー要素は、クロマトグラフィー基質を含有する分離チャンバーを含む。好ましくは、サイズ排除クロマトグラフィー要素は、サイズ排除クロマトグラフィーゲル懸濁液を含有する分離チャンバーを含む。好ましくは、クロマトグラフィー要素、好ましくはサイズ排除クロマトグラフィー要素は、アッセイのため、好ましくは等温核酸増幅のための緩衝液、好ましくは酢酸マグネシウムを含有する溶液を含む。好ましくは、サイズ排除クロマトグラフィー要素は、その中の懸濁されているゲル濾過クロマトグラフィー粒子とともに、等温核酸増幅のための緩衝液を含有する溶液を含む。
【００２５】
サイズ排除クロマトグラフィー要素中の緩衝剤の濃度は、処理された試料中の緩衝液の濃度が所望のレベルになるように、選択される。サイズ排除クロマトグラフィー要素における緩衝液の一般的な濃度は、約１０ｍＭ〜約２００ｍＭである。好ましくは、処理された試料のｐＨは、約ｐＨ６〜約ｐＨ９である。これらの好ましいｐＨ値および濃度は、本発明のすべての態様に適用される。選択される特定の濃度およびｐＨは、適用、例えばＲＰＡまたはＮＥＡＲによって決まる。
【００２６】
次いで、収集容器に収集された処理試料は直ちに検査ができ、処理においていくつかのステップが減るので、そのような準備は有利である。
【００２７】
本発明のすべての態様において有用な好ましいゲル濾過粒子は、約１０μｍ〜約１００μｍ、より好ましくは約１５μｍ〜約８８μｍの粒子径範囲を有し、および、好ましくは、ペプチドと球状タンパク質について１０００〜５０００Ｄａの分画範囲を有する。好ましくは、粒子はエピクロロヒドリンで架橋されたデキストランを含む。代替のクロマトグラフィーゲルは、試料から除去される必要がある物質の特性に応じ当業者が選択することができる。
【００２８】
別の態様において、本発明は、アッセイのため、好ましくは等温核酸増幅のための試料を調製するため、第１の部分と、第１の部分内に収まることができる分離した第２の部分とを含み、第１の部分が試料を収容するための容器を含み、および第２の部分がアッセイを干渉する物質、好ましくは核酸増幅阻害物質および／または蛍光物質を試料から除去するための分離要素を含む、装置を提供する。第２の部分が第１の部分内に収まると、第１と第２の部分が作動可能に係合して、試料を試料チャンバーから分離要素まで移動させる。好ましくは、装置は単回使用である。好ましくは、装置は手動で作動し、好ましくは、装置は単一ユーザによって適用される押し、または回転によって作動可能である。
【００２９】
一般的に、第１の部分は試料チャンバーからの所定量の試料を計量するための計量バルブを含み、装置の第１の部分に係合している装置の第２の部分によって作動されることができる。
【００３０】
使用中、装置は通常、所定量の流体を試料チャンバーから分離要素を通ってポンピングする。好ましくは、ポンプは、所定量の流体を試料チャンバーから分離要素を通って試料収集容器まで移動させる。好ましくは、流体の所定量は、約０．１〜約１００ｍｌ、好ましくは約０．２５〜約１０ｍｌ、より好ましくは、約０．５〜約１ｍｌである。好ましくは、ポンプは空気圧式である。
【００３１】
計量バルブは通常、可動計量部材によって分けられた上部と下部を有する計量チャンバーを含む。
【００３２】
一般的に、計量バルブは可動計量部材によって分けられた上部と下部を有する計量チャンバーを含む。したがって、計量チャンバーの上部および下部は、大きさが可変である。一般的に、計量チャンバーの内壁は、Ｄ形の断面を有する。同様に、計量部材の外壁は、通常、計量チャンバー内に収まることができる、Ｄ形の断面を有する。一般的に、計量部材は、計量チャンバーの内壁とともに、締まりばめ、好ましくは液密な締まりばめを有する。好ましくは、計量部材はカップである。
【００３３】
実施形態において、計量チャンバーの上部および下部は、選択的に流体連通する。すなわち、選択的に流体連通する。すなわち、上部と下部が流体連通する配置、および両部が流体連通しない他の配置にすることができる。計量バルブは、例えば、計量チャンバーの上部と下部の間に流体連通をもたらすために、流体バイパスチャネルを含み得る。流体バイパスチャネルと関連して計量部材の動きは、計量チャンバーの上部と下部の間に選択的な流体連通を可能にし得る。一般的に、流体バイパスチャネルは、圧力放出チャネルである。
【００３４】
さらなる実施形態において、装置は、試料が分離要素に移動される前に、試料を処理するための溶解物質を含む。一般的に、溶解物質は計量チャンバー内に位置している。溶解物質は、好ましくは界面活性剤または塩基からなる群から選択される。好ましい塩基としては、水酸化カリウムと水酸化ナトリウムが挙げられる。水酸化カリウムでドープ処理された材料メッシュの使用、または好ましくはメッシュによって所定の位置に保持されている少なくとも１つのペレットの水酸化カリウムもしくは水酸化ナトリウムが特に好ましい。好ましい界面活性剤は、ドデシル硫酸ナトリウム、Ｔｒｉｔｏｎ（登録商標）、Ｔｗｅｅｎ（登録商標）、Ｂｒｉｊ（登録商標）、臭化セチルトリメチルアンモニウムおよびその組み合わせからなる群から選択されることができる。
【００３５】
既に述べたように、溶解中に生成されるアッセイ干渉物質も除去され得るので、分離より先に溶解を行うことは有利である。
【００３６】
分離要素は、通常、サイズ排除クロマトグラフィー懸濁液を含む。好ましくは、分離要素は、等温核酸増幅のための緩衝液、好ましくは酢酸マグネシウム、トリスまたはリン酸緩衝液を含有する溶液を含む。
【００３７】
他の実施形態において、分離要素は、陽イオン／陰イオン交換クロマトグラフィー要素を含むイオン交換クロマトグラフィー要素、逆相クロマトグラフィー要素およびアフィニティークロマトグラフィー要素から選択される濾過または好適な固定相クロマトグラフィー要素を含むことができる。したがって、本発明の装置は、イオン交換クロマトグラフィー、逆相クロマトグラフィーおよびアフィニティークロマトグラフィーのために使用することができる。
【００３８】
さらなる態様において、本発明は、ライセートから核酸増幅阻害物質および／または蛍光物質を除去するための溶解要素および分離要素を含む、等温核酸増幅のための試料を調製する装置を提供する。
【００３９】
一般的に、溶解要素は、溶解物質を含む。溶解物質は、好ましくは、界面活性剤または塩基からなる群から選択される。好ましい塩基としては、水酸化カリウムおよび水酸化ナトリウムが挙げられる。水酸化カリウムでドープ処理された材料メッシュは、特に好ましく、一般的にメッシュによって所定の位置に保持されている少なくとも１つのペレットの水酸化カリウムまたは水酸化ナトリウムがより好ましい。好ましい界面活性剤は、ドデシル硫酸ナトリウム、Ｔｒｉｔｏｎ（登録商標）、Ｔｗｅｅｎ（登録商標）、Ｂｒｉｊ（登録商標）、臭化セチルトリメチルアンモニウムおよびその組み合わせからなる群から選択されることができる。
【００４０】
本発明は、乾燥した溶解物質を含む計量チャンバーを含有する計量バルブも可能とみなす。
【００４１】
溶解物質は、好ましくは、界面活性剤または塩基からなる群から選択される。好ましい塩基としては、水酸化カリウムおよび水酸化ナトリウムが挙げられる。水酸化カリウムでドープ処理された材料メッシュは、特に好ましく、一般的にメッシュによって所定の位置に保持されている少なくとも１つのペレットの水酸化カリウムまたは水酸化ナトリウムの使用がより好ましい。好ましい界面活性剤は、ドデシル硫酸ナトリウム、Ｔｒｉｔｏｎ（登録商標）、Ｔｗｅｅｎ（登録商標）、Ｂｒｉｊ（登録商標）、臭化セチルトリメチルアンモニウムおよびその組み合わせからなる群から選択されることができる。
【００４２】
本発明のさらなる態様において、キットは試料上で等温核酸増幅を実行するために提供される。キットは、通常、好ましくは、ピペットチップとプランジャーアセンブリを備えるハウジング；等温核酸増幅反応のための試薬を含有する反応チャンバー；試料リザーバーを含む液体移動デバイスと、等温核酸増幅を実行する前に試料から核酸増幅阻害物質および／または蛍光物質を除去することができる分離要素を備える試料調製装置とを含む。
【００４３】
キットの実施形態において、反応器は、リコンビナーゼポリメラーゼ増幅（ＲＰＡ）のための試薬、例えばリコンビナーゼ、一本鎖結合タンパク質およびポリメラーゼを含有する。リコンビナーゼは、Ｔ４  ＵｖｓＸ、Ｔ６  ＵｖｓＸまたはＲｅｃＡから選択されることができる。ＤＮＡポリメラーゼは、大腸菌（Ｅ．ｃｏｌｉ）ＤＮＡポリメラーゼＩＫｌｅｎｏｗフラグメント、好熱性細菌（バチルス・ステアロサーモフィラス）ポリメラーゼ（Ｂｓｔ）、枯草菌（バチルス・スブチリス）Ｐｈｉ−２９ポリメラーゼ、枯草菌（バチルス・スブチリス）ポリメラーゼＩ（Ｂｓｕ）からなる群から選択されることができる。一本鎖結合タンパク質は、一般的にｇｐ３２である。
【００４４】
一般的に、クラウディング剤、ＡＴＰ（アデノシン三リン酸）もしくはＡＴＰ類似体、ｄＮＴＰ、またはＴ４バクテリオファージＵｖｓＹも含む、リコンビナーゼポリメラーゼ増幅のための試薬。好ましいクラウディング剤は、ポリエチレングリコール（ＰＥＧ）、デキストラン、ポリビニルアルコール（ＰＶＡ）、ポリビニルピロリドン（ＰＶＰ）またはＦｉｃｏｌｌを含む（好ましくは、からなる）群から選択されることができる。
【００４５】
存在する場合、ＰＥＧは好ましくはＰＥＧ１４５０、ＰＥＧ３０００、ＰＥＧ８０００またはＰＥＧ１００００である。ＰＥＧは、好ましくは約１５０００と約２００００との間の分子量を有する。
【００４６】
存在する場合、好ましくは、ｄＮＴＰはｄＡＴＰ、ｄＧＴＰ、ｄＣＴＰおよびｄＴＴＰからなる群から選択される。
【００４７】
存在する場合、ＡＴＰまたはＡＴＰ類似体は、通常、ＡＴＰ、ＡＴＰ−γ−Ｓ、ＡＴＢ−β−Ｓ、ｄｄＡＴＰまたはその組み合わせから選択される。
【００４８】
あるいは、反応器は、ニッキングおよび伸長増幅反応（ＮＥＡＲ）のための試薬を含有することができる。ＮＥＡＲ試薬は、通常、ニッキング酵素、順方向の鋳型核酸、逆方向の鋳型核酸およびポリメラーゼを含む。
【００４９】
試薬は通常、乾燥型または凍結乾燥型であるが、液体状もあり得る。
【００５０】
キットは、患者の収集容器と、試料調製装置まで患者の収集容器から流体を移動させるためのパスツールピペットとをさらに含み得る。
【００５１】
好ましくは、試料調製装置は、分離要素が核酸増幅阻害物質および／または蛍光物質をライセートから除去する前に、試料が曝される溶解物質を含有する。一般的にメッシュによって所定の位置に保持されている少なくとも１つのペレットの水酸化カリウムまたは水酸化ナトリウムの使用が特に好ましい。
【００５２】
一般的に、分離要素は、サイズ排除クロマトグラフィーゲル懸濁液を含有する分離チャンバーを含む。好ましくは、サイズ排除クロマトグラフィー要素は、等温核酸増幅のための緩衝液、好ましくは酢酸マグネシウムを含有する溶液を含む。好ましくは、サイズ排除クロマトグラフィー要素は、等温核酸増幅のための緩衝液と、ゲル濾過クロマトグラフィー粒子の懸濁液とを含有する溶液を含む。
【００５３】
他の実施形態において、分離要素は、フィルタを含み得る。
【００５４】
試料調製装置は、本発明の前述の態様のいずれかによる装置であり得る。
【００５５】
具体的に、試料調製装置は、手動で作動するサイズ排除クロマトグラフィー装置であり得る。装置は、液体試料を収容するためのチャンバー、計量バルブ付きのポンプおよびサイズ排除クロマトグラフィー要素を含む。使用中、ポンプは、所定量の液体を試料チャンバーからサイズ排除クロマトグラフィー要素まで移動させる。一般的に、ポンプは、所定量の流体を試料チャンバーからサイズ排除クロマトグラフィー要素を通って移動させる。好ましくは、ポンプは、所定量の流体を試料チャンバーからサイズ排除クロマトグラフィー要素を通って試料収集容器まで移動させる。好ましくは、装置は単回使用である。好ましくは、装置は、１回押し下げる、または回転させることによって作動可能になる。一般的に、ポンプは空気圧式である。
【００５６】
あるいは、試料調製装置は、第１の部分と、第１の部分内に収まることができる分離した第２の部分とで構成され、第１の部分が試料を収容するための容器を含み、および第２の部分が核酸増幅阻害物質および／または蛍光物質を試料から除去するための分離要素を含み、第２の部分が第１の部分内に収まると、第１の部分と第２の部分が作動可能に係合して、試料チャンバーから試料を分離要素まで移動させる、等温核酸増幅のための試料を調製する装置であり得る。
【００５７】
あるいは、試料調製装置は、溶解要素と、核酸増幅阻害物質および／または蛍光物質をライセートから除去するための分離要素とを含み得る。
【００５８】
実施形態において、液体移動デバイスのハウジングは、反応チャンバーと密封可能に係合するように構成されている。一部の実施形態において、液体移動デバイスのハウジングは、反応チャンバーと密封可能に係合するように構成される密封成分を含むことができる。一部の実施形態において、反応チャンバーは、液体移動デバイスと密封可能に係合するように構成される密封成分を含むことができる。本システムは流体リザーバーをさらに含むことができ、および反応チャンバーは流体リザーバーと係止可能に係合するように任意選択で構成され得る。
【００５９】
好ましくは、試料調製装置は、流体リザーバーと取り外し可能に係合され得る。好ましくは、試料調製装置は、流体リザーバー内に配置されている間、好ましくは、流体リザーバーに向かって該装置を押すことによって作動する。一般的に、調製された試料は、流体リザーバーに収集される。
【００６０】
液体移動デバイスは、例えば、液体試料を分配することなく、分配する前に、および／または分配した後に、係止可能に反応チャンバーと係合するように構成され得る。一部の実施形態において、反応チャンバーは生物学的反応物の１つまたは複数の成分を含む。
【００６１】
液体移動デバイスは、ピペットチップを備えているハウジングと、該ハウジングおよびピペットチップ内に配置されたプランジャーアセンブリとを含むことができ、プランジャーアセンブリが流体リザーバーに対して静止状態を保ち、ハウジングがプランジャーアセンブリに対して移動するように、プランジャーアセンブリの一部は流体リザーバーを係合するように構成される。
【００６２】
一般的に、プランジャーアセンブリに対するハウジングの動きにより、ピペットチップ内が真空になり、および任意選択でプランジャーアセンブリは、真空をもたらす位置に係止するように構成され得る。ハウジングを流体リザーバー上に押下げることによって、ハウジングはプランジャーアセンブリに対して移動するように構成され得る。該デバイスは、さらに、プランジャーアセンブリが真空をもたらす位置にあることを聴覚表示および／または視覚表示で示すように構成され得る。
【００６３】
キットは、液体移動デバイス、１つまたは複数の流体リザーバーおよび反応チャンバーを含み得る。液体移動デバイスおよび反応チャンバーが連結されると、反応チャンバーは、プランジャーアセンブリのロックを解除するように構成されることができる。
【００６４】
液体移動デバイスは、液体移動デバイス、および反応チャンバーと流体リザーバーのいずれか１つまたは両方を含むシステムおよびリザーバーに向かって装置を押すことによって流体リザーバーから試料を引き出すように構成され得る。
【００６５】
上記のシステムにおいて、液体移動デバイス、反応チャンバー、試料調製装置および流体リザーバーの４つのすべては、適合する非対称の断面を有し得る。
【００６６】
さらなる態様において、本発明は、等温核酸増幅を行うための本発明の前述の態様によるキットと、検出装置とを含むシステムを提供する。
【００６７】
検出装置は、一般的に、試料収集チャンバーを確実に保持するように適応した第１のステーションと、反応チャンバーを確実に保持するように適応した第２のステーションとを含む。使用中に、試料調製装置は試料収集チャンバー内に配置される。一般的に、装置の第１の部分は、試料収集チャンバー内に置かれる。次いで、生試料は装置の計量チャンバー内に置かれる。次いで、装置の第２の部分は、装置の第１の部分に挿入される。次いで、装置の第２の部分は、第１の部分に、通常、可聴または可視シグナルが発せられるまで、押し込まれ、次いで調製された試料は試料収集容器に収集される。次いで、試料調製装置は取り外されて、廃棄される。
【００６８】
移動デバイスは、第１のステーションの収集チャンバーと、第２のステーションの反応チャンバーとの間で移動できる。
【００６９】
検出装置は、検出装置が作動中のとき、または保存のため閉じることができる蓋を含む。
【００７０】
タッチスクリーンのユーザインタフェースは、アッセイに関するデータを入力し、情報を表示するためにあってよい。第２のステーションは、増幅チャンバー上に存在するバーコードまたは類似のコードを自動的に検出するためのバーコドリーダまたは類似の装置を含み得る。第１および第２のステーションは、試料収集チャンバーおよび反応チャンバーの内容物を加熱または冷却するように適応し得る。また、第２のステーションは、光学、蛍光または他のモニタリングおよび／またはマイクロチューブの撹拌を行うように適応し得る。
【００７１】
一部の実施形態において、本明細書に開示される液体移動デバイまたはピペットチップは、１μｌと５ｍｌの間（例えば、１μｌ、２μｌ、５μｌ、１０μｌ、２０μｌ、５０μｌ、１００μｌ、２００μｌ、５００μｌ、１ｍｌ、２ｍｌおよび５ｍｌのうちの２つの間）の量を収集し、分配するように構成されることができる。
【００７２】
さらなる態様において、本発明は、等温核酸増幅を実行する方法を提供する。本方法は、検査用の生液体試料を提供するステップ、核酸増幅阻害物質および／または蛍光物質を除去するために生液体試料を処理するステップ、処理された試料上で等温核酸増幅を行うステップ、および増幅核酸をモニターするステップを含む。
【００７３】
本発明のさらなる態様において、本発明は、ゲル濾過クロマトグラフィーで使用するための等温核酸増幅緩衝液と、分散したゲル濾過クロマトグラフィー粒子とを含有する水溶液を含む組成物を提供する。一般的に、緩衝液は酢酸マグネシウムまたは酢酸トリスからなる群から選択され、好ましくは酢酸マグネシウムである。
【００７４】
好ましいゲル濾過粒子は、約１０μｍ〜約１００μｍ、より好ましくは約１５μｍ〜約８８μｍの粒子径範囲、およびペプチドと球状タンパク質について約１０００〜約５０００Ｄａの分画範囲を有する。好ましくは、粒子はエピクロロヒドリンで架橋されたデキストランを含む。当業者は、サイズ排除クロマトグラフィーゲルを代替物として選択することができる。
【００７５】
本発明は、等温核酸増幅のための試料調製において、そのような組成物の使用も可能とみなす。
【００７６】
本発明は、ポンプのための計量バルブをさらに提供する。計量バルブは、通常、可動計量部材によって分けられた上部と下部を有する計量チャンバーと、圧力放出チャネルとを含む。好ましくは、計量部材が上部を下部から分ける初期位置から、圧力放出チャネルが計量チャンバーの下部と計量チャンバーの上部との間に流体連動をもたらす以降の位置まで計量部材が移動できるように、計量部材および圧力放出チャネルは配置される。
【００７７】
このように、計量部材が下がると、それによって計量チャンバーの下部の容積が縮小し、計量チャンバーの下部内の圧力が上昇する。計量部材が所定の距離を進んだ後、圧力放出チャネルは、計量チャンバーの下部と上部の間に流体連通をもたらすことができる。一旦流体連通になると、計量チャンバーの下部からの空気は圧力放出チャネルに沿って移動し、計量チャンバーの上部内に流体を移動させる。
【００７８】
一般的に、流体出口チャネルは設けられている。好ましくは、流体は出口チャネルに沿って移動し、それによって計量バルブを出る。好適な実施形態において、流体出口チャネルは、計量バルブのために可動アクチュエータ内に位置する。そのような実施形態において、可動アクチュエータは計量部材に作動可能に係合し、その結果、アクチュエータの動きは、所定量の試料を計量し、次いで所定量を出口チャネルからポンピングする。
【００７９】
一般的に、計量部材は、計量チャンバーの内壁とともに、締まりばめ、好ましくは液密な締まりばめを有する。計量チャンバーの内壁は、非対称断面で、好ましくはＤ形の断面を有し得る。同様に、計量部材の外壁は、非対称断面で、計量チャンバーの断面にマッチする一般的にはＤ形の断面を有し得る。好ましくは、計量部材はカップである。一般的に、可動アクチュエータは、カップの内部床に作動可能に係合する。
【００８０】
一般的に、計量チャンバーは、計量される液体試料を収容する単一の開口部と、可動アクチュエータとを有する。一般的に、計量チャンバーの開口部の周辺部は、可動アクチュエータが開口部内に収まると、該アクチュエータの外壁と締まりばめ、好ましくは液密な締まりばめを形成する。
【００８１】
本発明のさらなる態様において、単回使用の計量バルブを製造する方法が提供される。本方法は、第１の開口部と第２の開口部を有する計量チャンバーと、該チャンバーの内壁に沿って、一部分は通常は軸方向に伸びている圧力放出チャネルとを準備するステップ、計量チャンバーを第１の部分と第２の部分に分けるために、計量チャンバー内に収めることができる計量部材を準備するステップ、圧力放出チャネルが第１の部分と第２の部分の間に流体連通をもたらさないように、計量チャンバー内に計量部材を位置づけるステップ、および計量チャンバーの開口部をシールで密封するステップを含む。一般的に、計量部材は計量チャンバー内で移動できる。好ましくは、計量部材は、密封される開口部を介して位置にスライドし、好ましくは、他の開口部は密封されない。
【００８２】
本方法の実施形態において、計量部材は、第１の開口部を通って移動しないように、好ましくはアバットメントによって、好ましくは環状アバットメントによって、より好ましくは第１の開口部で環状アバットメントによって妨げられる。
【００８３】
一般的に、計量部材は、第２の開口部を通って計量チャンバーに入り、計量部材がアバットメント、通常は、環状アバットメントと係合するまで、計量チャンバーに沿って進む。
【００８４】
好ましくは、計量部材は、計量チャンバーによって締まりばめ、好ましくは液密な締まりばめを形成する。好ましくは、計量部材はカップである。
【００８５】
本発明は、さらに、第１の部分と、該第１の部分内に作動可能に収まることができる分離した第２の部分とを含む、手動で作動されるポンプを提供する。一般的に、第１の部分と第２の部分は係合して、計量バルブを形成し、好ましくは、第１の部分は、液体試料を収納するための計量チャンバー、可動計量部材および圧力放出チャネルを含み、第２の部分は、該第２の部分が第１の部分内に収まると、計量部材と作動可能に係合するように配置されたアクチュエータを含む。使用中、第２の部分は第１の部分内に進み、および所定量の流体は出口チャネルを通ってポンプを出る。前記所定量の流体は通常、所定量の液体試料および所定量の空気を含む。一般的に、出口チャネルは第２の部分内に設けられている。好適な実施形態において、流体出口チャネルは、アクチュエータ内に位置する。ポンプは、一般的に単回使用である。
【００８６】
一般的に、計量チャンバーは、計量される液体試料を収容するための単一の開口部と、アクチュエータとを有する。一般的に、計量チャンバーの開口部の周辺部は、アクチュエータが開口部内に収まると、該アクチュエータの外壁と締まりばめ、好ましくは液密な締まりばめを形成する。
【００８７】
一般的に、計量部材は、計量チャンバーの内壁とともに、締まりばめ、好ましくは液密な締まりばめを有する。計量部材はそれによって計量チャンバーを上部と下部に分ける。計量チャンバーの内壁は、非対称断面、好ましくはＤ形の断面を有し得る。同様に、計量部材の外壁は、非対称の断面で、計量チャンバーの断面にマッチする一般的にはＤ形の断面を有し得る。好ましくは、計量部材はカップである。一般的に、可動アクチュエータは、カップの内部床に作動可能に係合する。
【００８８】
使用中、計量チャンバー中を進むアクチュエータによって移動される流体の量、一般的には空気の量は、計量チャンバーの上部内の圧力の上昇をもたらし、およびそれによって所定量の流体が出口チャネルを通って移動される。適切な量の変位を選択することは、当業者の受容能力の範囲内にある。
【００８９】
圧力放出チャネルは、計量チャンバーの上部と下部の間に選択的な流体連通をもたらす。計量部材がその初期位置にあるとき、計量チャンバーの上部と下部は分かれている、すなわち、流体連通してない。計量部材がアクチュエータによって計量チャンバーに沿って移動されると、圧力放出チャネルが露出し、計量チャンバーの上部と下部の間が流体連通になる。好適な実施形態において、圧力放出チャネルは、計量チャンバーの壁に位置する。圧力放出チャネルは、開口溝または密閉された導管の形であり得る。一般的に、圧力放出チャネルは、計量チャンバーの底部から、もしくは底部近くから、その初期位置における計量部材の上部の下の位置に達する。
【００９０】
好ましくは、計量チャンバーは溶解物質を含む。好適な溶解物質は、本開示にて前に論じられている。
【００９１】
本発明のさらなる態様は、液体の所定量を計量するためのポンプ、好ましくは手動で作動するポンプを提供し、該ポンプは、試料チャンバーおよび計量チャンバーを含む容器と、アクチュエータの遠位部分に開口部を有する流体出口チャネルを含有する前記アクチュエータとを含み、アクチュエータの遠位端が試料チャンバー内に位置している第１の位置から、流体出口チャネルの開口部が計量チャンバー内に位置している第２の位置までアクチュエータが移動でき、およびアクチュエータが第１の位置にあるとき、試料チャンバーが計量チャンバーと流体連通しており、アクチュエータが第２の位置にあるとき、試料チャンバーが計量チャンバーから分離されており；計量チャンバーが可動計量部材によって上部と下部に分けられており、計量チャンバーがさらに圧力放出チャネルを含み；およびアクチュエータがその第１の位置からその第２の位置に移動されると、計量部材が上部を下部から分ける初期位置から、圧力放出チャネルが計量チャンバーの下部と計量チャンバーの上部との間に流体連動をもたらす以降の位置まで計量部材が移動するように、計量部材、圧力放出チャネルおよびアクチュエータが配置されている。
【００９２】
一般的に、計量部材は、計量チャンバーの内壁とともに、締まりばめ、好ましくは液密な締まりばめを有する。計量部材は、それによって計量チャンバーを上部と下部に分ける。計量チャンバーの内壁は、非対称の断面、好ましくはＤ形の断面を有し得る。同様に、計量部材の外壁は、非対称の断面で、計量チャンバーの断面にマッチする一般的にはＤ形の断面を有し得る。好ましくは、計量部材はカップである。一般的に、可動アクチュエータは、カップの内部床に作動可能に係合する。
【００９３】
使用中、計量チャンバー中を進むアクチュエータによって移動される流体の量、一般的には空気の量は、計量チャンバーの上部内の圧力の上昇をもたらし、およびそれによって所定量の流体が流体出口チャネルを通って移動される。計量部材がアクチュエータによって完全に移動されると、計量チャンバーの上部内のすべての液体試料が計量チャンバーから押しだされるように、アクチュエータによって移動される計量チャンバーの上部の容積は、好ましくは、移動される液体試料の量より大きくする必要がある。滴下を防止し、用量を確実に均一にするために、過剰量により、一定量の空気も装置の第２の部分を通過することを確実にする。アクチュエータによって移動される計量チャンバーの適切な容積を選択することは、当業者の受容能力の範囲内にある。
【００９４】
好適な実施形態において、圧力放出チャネルは、計量チャンバーの壁内に位置している。圧力放出チャネルは、開口溝または密閉された導管の形であり得る。一般的に、圧力放出チャネルは、計量チャンバーの底部から、もしくは底部近くから、その初期位置における計量部材の上部の下の位置に達する。
【００９５】
好ましくは、計量チャンバーおよび／または試料チャンバーは溶解物質を含む。好適な溶解物質は、本開示にて前に開示されている。
【００９６】
ポンプは、通常、単回使用である。本発明の目的で、単回使用とは、通常の使用において、ポンプがリセットされ、再利用されることができないことを意味する。
【００９７】
本発明のこれらの態様によるポンプおよび計量バルブは、具体的には、本発明の前述の態様による装置での使用が考えられる。
【００９８】
本発明の目的で、手動で作動されることとは、その通常の意味を有する。すなわち、装置、ポンプおよび計量バルブは、手で作動可能である、本発明の装置、ポンプおよび計量バルブのすべては、手動で作動することができるが、しかしながら本発明の特定の態様および実施形態が代替手段によっても作動することができると考えられる。
【００９９】
本発明の１または複数の実施形態の詳細は、添付の図面および以下の説明に記載する。本発明の他の特徴、目的および利点は、説明と図面から、および特許請求の範囲から明らかになろう。
【図面の簡単な説明】
【０１００】
【図１】従来技術のシステムを示す。
【図２】例示的な装置の分解立体図を示す。
【図３】使用前の装置の例示的な第１の部分を示す。
【図４】試料チャンバーのカバーを取り外した、装置の例示的な第１の部分を示す。
【図５】装置の例示的な第２の部分を示す。
【図６】第１の部分に係合し、および生試料の量を計量する第２の部分を示す。
【図７】計量部材を移動させた第２の部分を示す。
【図８】完全に押し下げられた第２の部分を示す。
【図９】等温核酸増幅を行って、モニターするための装置内のｉｎ−ｓｉｔｕの例示的な装置を示す。
【図１０】等温核酸増幅を行って、モニターするための装置内のｉｎ−ｓｉｔｕの例示的な装置を示す。
【図１１】等温核酸増幅を行って、モニターするための装置内のｉｎ−ｓｉｔｕの例示的な装置を示す。
【図１２】反応チャンバーに移動される、調製された試料を示す。
【図１３】図１３ａ〜図１３ｅは、使用中の計量チャンバーの略図を示す。
【発明を実施するための形態】
【０１０１】
本発明は、アッセイで用いる試料の調製、特に、等温核酸増幅で用いる試料の調製に関する。特に、手動操作クロマトグラフィー装置、それに関する有用な組成物、等温核酸増幅のための試料を調製する装置、等温核酸増幅を行うためのキット、および等温核酸増幅を行うための方法に関する。本発明は、ポンプおよび計量バルブも提供する。
【０１０２】
図１は、図１３に図示されるシステムの使用に適している反応器（２００）、試料収集リザーバー（３００）および液体移動デバイス（１００）を表す。各部分組立品はＤ形または他の非対称の断面（１０５、２０５、３０５）を有することができ、他の２つの部分組立品と適合する。したがって、部分組立品は一つの向きでのみ互いに係合することができる。
【０１０３】
反応チャンバー２００は、反応器本体の底の開口内に保持されるマイクロチューブ２２０を含む。
【０１０４】
図１は、１つのピペットチップ１２０と１つのマイクロチューブ２２０を備える、上述の移動デバイス１００および反応器２００を表す。しかし、移動デバイスは、２つ以上のピペットチップを備えることができ、反応器は２つ以上のマイクロチューブを備えることができる。
【０１０５】
そのようなアセンブリは、国際公開第２０１３／０４１７１３号に詳述されており、該公開は参照によって本明細書に組み込まれる。
【０１０６】
図２は本発明による装置（２０）の分解立体図である。装置は、第１の部分（２０ａ）と第２の部分（２０ｂ）を含む。第２の部分（２０ｂ）は、第１の部分（２０ａ）内に収まることができる。試料リザーバー（２１０）も、表す。第１の部分（２０ａ）は、試料収集リザーバー（２１０）内に収まることができる。
【０１０７】
第１の部分（２０ａ）は、本体（２１）を含む。本体（２１）は、試料チャンバー（図示せず）と計量チャンバー（２１１）を含む。計量チャンバー（２１１）と試料チャンバーは流体連通している。計量部材（２２）は、Ｄ形の断面を有するカップ状部材の形をしている。計量チャンバー（２１１）もＤ形の断面を有する。計量部材（２２）は、通常、乾燥した溶解物質を含有する。一般的に、少なくとも１つのペレットの溶解物質（２２１）、通常、水酸化カリウムまたは水酸化ナトリウムは、ガーゼ（２２２）によって所定位置に保持される。水酸化カリウム／水酸化ナトリウムは、試料流体中の細胞形成成分の急速な溶解を引き起こし、それによって等温核酸増幅によって検出されることになる細胞内核酸を放出するために存在する。
【０１０８】
計量部材（２２）は計量チャンバー（２１１）内に可動して収まることができる。使用中、計量部材（２２）は、計量チャンバーを上部と下部に分ける。計量部材（２２）は、計量チャンバー（２１１）の内壁とともに、液密な締まりばめを形成する。気密膜（２３）は、計量チャンバーの端を閉じる。製造において、計量部材（２２）は、計量チャンバー（２１１）の底部に挿入され、試料を収容するチャンバーから計量チャンバーを分けている環状シール（不図示）の直下に位置するまで、上向きに押される。次いで、気密膜（２３）は、計量チャンバー（２１１）の底部上で加熱密封される。
【０１０９】
第２の部分（２０ｂ）は、第１の部分（２０ａ）の試料チャンバー内に収まることができるアクチュエータ（２５）を備える本体（２４）を含む。使用中、アクチュエータ（２５）は計量部材（２２）と作動可能に係合する。アクチュエータ（２５）は、遠位端（２１５）と近端部（２１６）を有する。開口（２１４）は、アクチュエータ（２５）の遠位端に位置している。開口（２１４）は、等温核酸増幅緩衝液と分散したゲル濾過クロマトグラフィー粒子を含む水溶液を含有する分離チャンバー（図示せず）と流体連通している。好適なゲル濾過粒子は、Ｓｅｐｈａｄｅｘ  Ｇ−２５  Ｓｕｐｅｒｆｉｎｅの商標名でＧＥ  Ｈｅａｌｔｈｃａｒｅによって販売されており、他の好適なクロマトグラフィー基質は、当業者に既知である。マイクロ流体チャネル（図示せず）は、分離チャンバーと、リターンレグ（２６）の遠位端の出口開口（２１７）との間に流体連通をもたらす。挿入部分（２７）は、リターンレグ（２６）に挿入され、分離チャンバーを閉じる。アクチュエータ（２５）の外壁は、第１の部分を係合するためのショルダー部（２１３）を含む。チャネル（２１２）は、ショルダー部（２１３）内に存在する。使用中、チャネル（２１３）は、計量チャンバーが密封される前に、過剰な液体を流出させることができる。
【０１１０】
剥離可能なシール（２２３、２２４）は、第１の部分および第２の部分の上に備えられる。
【０１１１】
図３は、使用前の装置（３２）の第１の部分を表す。剥離可能なシール（３１）は、試料チャンバー（図示せず）を覆う。剥離可能なシール（３１）は、使用前に、第１の部分（３２）の内容物を汚染から保護し、乾燥した溶解物質を湿気から保護する。また、損なわれていない剥離可能なシール（３１）は、装置が以前に使用されていなかったことをユーザに知らせる。装置（３２）の第１の部分は、試料リザーバー（３３）と係合される。
【０１１２】
図４は、剥離可能なシールが除去されている装置（４２）の第１の部分を表す。これで、試料チャンバー（４１）はアクセス可能である。再び、装置（４２）の第１の部分は、試料リザーバー（４３）と係合される。
【０１１３】
図５は、装置（６０）の第２の部分を表す。装置（６０）の第２の部分は、第１のアクチュエータレグ（６３）と、第２のリターンレグ（６２）とを含む。ストッパー（６１）は所定位置に固定されている。アクチュエータ内の流体の汚染および／または漏出を防止するために、剥離可能なシール（６４）は、アクチュエータレグおよびリターンレグの遠位端に位置している開口を覆う。
【０１１４】
使用中に、剥離可能なシール（６４）は、第２の部分が第１の部分と係合される前に除去される。剥離可能なシール（６４）は、汚染と漏出を防止する。また、損なわれていない剥離可能なシール（６４）は、装置が以前に使用されていなかったことをユーザに知らせる。
【０１１５】
マイクロ流体経路（不図示）は、アクチュエータレグ（６３）の上部から、リタ−ンレグ（６２）の内部まで下降する。使用中、この中を処理された液体が流れる。
【０１１６】
装置（６０）の第２の部分は、射出成形によって、外壁（６５）と挿入部分（６６）の２部分で作られている。挿入部分は大部分のリターンレグ（６２）を満たし、第２の部分（６０）の表面の上部に見える円形部分（６６）を含む。リターンレグ（６２）に挿入されると、密閉チャネルを形成する挿入部分のリターンレグ部分（図示せず）に溝がある。図２によりよく示すように、アクチュエータレグ（２５）内の挿入部分（２７）は、上部フリット（２１８）をマトリックス（２１９）と底部フリット（２２０）上まで押縮め、および処理された流体がリターンレグ（２６）に移動することを可能にする開口部と溝（図示せず）を含む。
【０１１７】
図６ａは、第１の部分（７２）内に挿入された第２の部分（７１）を含む本発明の装置を示す。ここでも、装置の第１の部分（７２）は、試料収集リザーバー（７３）と係合する。
【０１１８】
図６ｂは、装置の第１の部分（７２）と第２の部分（７１）および図７ａに示す試料リザーバー（７３）の断面を示す。
【０１１９】
図６ｂの断面図は、サイズ排除クロマトグラフィーマトリックス（７５）を含有する分離チャンバー（７６）を示す。マトリックスを含有するチャンバー（７６）は、マトリックス（７５）を所定の位置に保持するために、上部フリット（７７）と底部フリット（７８）を備えている。流体が広がり、分離チャンバー（７５）に入ることを可能にする成形プラスチックのカットアウト形状構成（十字形状）もある。
【０１２０】
使用中、ユーザは第２の部分（７１）を第１の部分（７２）内に導入するように指示される。アクチュエータレグ（７９）が、生試料が加えられるチャンバー（７１１）に導入されるものであることが明らかになるように装置は形づくられている。
【０１２１】
その元の位置にあるとき、十分な液体試料が計量チャンバーの上部（７１２）を満たすように加えられ、および好ましくは液体が、試料チャンバー（７１１）から計量チャンバーを分けている環状シール（７１３）の上に位置する場合には、処理された試料は所望の量に達する。
【０１２２】
第２の部分（７１）が挿入されると、アクチュエータレグの狭い部分は最初に環状シール（７１３）を通り、次いで計量チャンバー（７１４）に押しだされる。アクチュエータレグの直径は、最初は、環状シール（７１３）の直径よりも小さく、したがってアクチュエータ（７９）が計量チャンバー（７１２）の上部から液体を移動させると、液体は、アクチュエータレグ（７９）の縁の周りから試料チャンバー（７１１）に流出することができる。
【０１２３】
図６ａおよび６ｂでは、ショルダー部（７１５）が試料チャンバー（７１１）と計量チャンバー（７１４）の間に配置されている輪状シール（７１３）と係合するように、第２の部分（７１）は、手動で第１の部分（７２）に押し込まれた。この位置で、ショルダー部（７１５）の溝（図示せず）は、計量チャンバー（７１４）と試料チャンバー（７１１）との間に流体連通をもたらす。アクチュエータの遠位端（７１８）は、計量部材（７１７）とここで係合した。アクチュエータを囲んでいる計量チャンバーの上部の容積は、サイズ排除クロマトグラフィーゲル（７５）を通過する生試料の量を定める。サイズ排除クロマトグラフィーゲル（７５）は、等温核酸増幅に適した緩衝液、一般的には酢酸マグネシウム、を含む溶液に懸濁されている。分離チャンバー（７６）内の緩衝液の濃度は、処理された試料中で適切な濃度で存在するような濃度である。
【０１２４】
図６ｂに示す位置では、計量部材（７１７）は、圧力放出チャネル（７１９）の上端の上にある。これは、圧力放出チャネル（７１９）が計量チャンバー（７１４）の上部（７１２）と下部（７２０）との間に流体連通をもたらさないことを意味する。したがって、アクチュエータがさらに下がると、計量部材（７１７）を前進させ、下部チャンバー（７２０）内の空気圧が上昇する。
【０１２５】
図７ａおよび７ｂは、第１の部分（８２）にさらに押し込まれた第２の部分（８１）を有する装置を示す。この位置では、アクチュエータショルダー（８４）は、今やアクチュエータの外壁（８６）と係合している環状シール（８５）の下に下がり、それによって試料チャンバー（８８）から計量チャンバー（８７）を密封する。圧力放出チャネル（８１０）の上端が今や計量部材（８９）の上に露出され、したがってアクチュエータ（８６）は、計量部材（８９）を低い位置まで押し下げている。圧力放出チャネル（８１０）は、計量チャンバー（８７）の下部（８１１）と、計量チャンバー（８７）の上部（８１２）との間に流体連通をもたらし、および圧力がチャンバーの上部（８１２）よりもチャンバーの下部（８１１）においてより高いので、空気は、圧力放出チャネル（８１０）に沿ってチャンバーの下部（８１１）からチャンバーの上部（８１２）へ移動し、その中に存在するアクチュエータ（８６）によって引き起こされる上部（８１２）内部容積が縮小した結果、液体試料を含有するカップ形の計量部材（８９）の上に高圧力の領域が形成される。次に、液体試料は、処理のため、アクチュエータ（８６）の遠位端のオリフィス（８１４）を通ってサイズ排除クロマトグラフィー／分離チャンバー（８１５）に押しだされる。
【０１２６】
生試料の一部は試料チャンバー（８８）内に密封状態で残存する。これは、装置で処分することができる。
【０１２７】
装置の第２の部分（８１）がさらに第１の部分（８２）に押し込まれると、アクチュエータ（８６）は計量部材（８９）を計量チャンバー（８７）内にさらに押し下げ、圧力放出チャネル（８１０）に沿って下部（８１１）から上部（８１２）へ空気を移動させ、それによって試料は、分離チャンバー（８１５）内のサイズ排除クロマトグラフィーゲルを通り、装置の第２の部分（８１）の水平上部内のマイクロ流体チャネル（図示せず）に沿って、次いで第２の部分（８１）のリターンレグ（８１７）内のチャネルに沿って進み、その後第２の部分（８１）から出て、試料収集リザーバー（８１８）内に滴下する。
【０１２８】
サイズ排除クロマトグラフィーゲルは、試料から等温核酸増幅阻害物質および／または蛍光物質を除去する。このように、試料収集リザーバー（８１８）に収集される処理された試料は、前述の阻害物質／蛍光物質が十分に除かれており、等温核酸増幅は試料中に存在する核酸上で効率よく行われ、次いで検出が可能になる。さらに、サイズ排除クロマトグラフィーゲルは、等温核酸増幅を行うための緩衝液を含む溶液に懸濁される。試料収集リザーバー（８１８）に収集された、処理された試料のｐＨは、等温核酸増幅を行うための適切なｐＨである。一般的に、ｐＨは約６〜約９である。これにより、試料調製ステップをこれ以上必要としない。
【０１２９】
図８ａおよび８ｂは、第１の部分（９２）に完全に挿入された第２の部分（９１）を示す。可聴プロンプト、一般的にクリック音は、完全な挿入が達成され、したがって、適切量の試料が処理されることをユーザに知らせる。使用中、クリックが聞こえるまで、ユーザは、通常、指または母指で一押しする。可聴クリックに関与している部材は通常、第１の部分（９２）内の第２の部分（９１）もロックする、ラッチである。これは、未処理の生試料が処分のために安全に収容されていることも意味する。好ましくは、流体密封を第２の部分（９１）の上部と試料チャンバー（９４）との間に作成し、それによって過剰な生試料流体（９３）が収容され、装置が処分されるとき、生試料の流出を防止する。
【０１３０】
完全に挿入されると、計量チャンバー（９６）の下部（９５）からの空気は、計量チャンバー（９６）の上部（９７）に流入し、上下部の両チャンバー内の圧力が同等になるまで流入が続く。図８ｂに示すように、計量チャンバー（９６）内には生試料が残存していない。さらに、少量の空気は、装置の第２の部分（９１）を通って移動し、リターンレグ（９９）の末端のオリフィス（９８）を通って出て行く。これにより、チャネル内に存在する液体が外に押しだされ、どのような滴下も防止される。また、装置の試料側の残留するどのような圧縮ガスでも消散させることができる。過剰流体がリターンレグ（９９）から滴下し、作業エリアを汚染する可能性を阻止するために、装置が試料収集容器（９１０）から取り外された後、残留流体がカラムを通って押しだされるのをさらに阻止する。
【０１３１】
これは、アクチュエータが完全に挿入されたとき、アクチュエータによって移動された計量チャンバーの容積が処理のために計量される生試料の量より大きいことを確実にすることによって達成される。
【０１３２】
一般的に、可聴クリックと、処理された試料のすべての試料収集リザーバー（９１０）への到達との間に遅れが生ずる。これは、計量チャンバー（９６）の下部（９５）内の空気を圧縮することからの減衰効果よって引き起こされ、その圧力は装置から放出される。流体抵抗によって引き起こされる減衰効果は、処理される試料の流速を遅らせ、かつ試料がサイズ排除クロマトグラフィーゲルによって適切に確実に処理されるので、有利である。試料があまりにも急速にゲルを通って移動する場合、核酸増幅阻害物質／蛍光物質が十分に除去されないことが生じ、装置はその所望の機能を達成しないであろう。減衰の適切なレベルを達成することは、当業者の受容能力の範囲内である。
【０１３３】
図８ｂに示す位置において、試料収集リザーバー（９１０）は、等温核酸増幅で使える状態にある処理された試料を含む。処理された試料は、必要なｐＨで緩衝され、および行われ、検出される増幅のために、核酸増幅阻害物質および蛍光物質が十分に除かれている。液体移動デバイス（図示せず）を用いて、試料収集容器（９１０）から等温核酸増幅アッセイを行う検査装置へ、処理された試料の一部をピペットで移す。
【０１３４】
図９〜１２は、等温核酸増幅を行うための試料処理装置（１０１）において本発明によるｉｎ  ｓｉｔｕでの装置（１０）を示す。図９において、本発明による装置の第１の部分（１０２）は、試料収集容器（１０３）内に位置しており、次に、試料処理装置（１０１）に収まる。好適な試料処理装置は、商標名Ａｌｅｒｅ  ｉ．でＡｌｅｒｅ  Ｉｎｃ．から入手可能である。
【０１３５】
図９ａにおいて、反応器（１０３）はｉｎ−ｓｉｔｕでの試料処理装置である。試料処理装置は、ＮＥＡＲおよび／またはＲＰＡ等温核酸増幅を行うために構成された反応器とともに用いることができる。したがって、反応チャンバーは、前記チャンバーに導入される試料上でＮＥＡＲおよび／またはＲＰＡを行うために必要な試薬を含み得る。好適な反応器（１０５）は、Ａｌｅｒｅ  Ｉｎｃ．から入手可能である。
【０１３６】
図９において、試料チャンバー（１０４）を覆っている保護用の剥離可能なフィルムは、除去されている。この位置で、生試料は、パスツールピペットを用いて、試料チャンバーに導入され、通常、１．５ｍｌの生試料が導入される。
【０１３７】
図１０は、装置（１１１）の第１の部分（１１２）に部分的に挿入された装置の第２の部分（１１３）を含む、本発明のシステム（１１）を示す。一方で図１１は、装置（１２１）の第１の部分（１２２）に完全に押し下げられた装置（１２１）の第２の部分（１２３）を含む本発明のシステム（１２）を示す。一旦試料が処理され、試料収集リザーバー（１２４）に収集されると、試料を調製する装置（１２１）は取り外され、処分されることができる。次いで、液体移動デバイスを用いて、処理した試料の一部を検査のために反応器（１２５）に移す。
【０１３８】
図１２は、試料処理装置（４００）に加えて、液体移動デバイス（１００）、反応器（２００）および試料収集リザーバー（３００）を示す。使用中、スクリーン（４４０）は、ユーザに指示をステップバイステップで示し、等温核酸増幅検査の結果を表示する。本発明は、反応器（２００）、液体移動デバイス（１００）、試料収集チャンバー（３００）および試料調製装置を含むキット、ならびに該キットおよび試料処理装置（４００）を含むシステムを意図する。
【０１３９】
図１２は、例示的な検出装置（４００）を含むシステムを示す。検出装置（４００）は、確実に試料収集容器（３００）を保持するように適応した第１のステーション（４１０）と、確実に反応チャンバー（２００）を保持するように適応した第２のステーション（４２０）とを含む。使用されている場合、移動デバイス（１００）は、第１のステーション（４１０）の試料収集容器（３００）と、第２のステーション（４２０）の反応チャンバー（２００）との間で移動される。検出装置は、検出装置（４００）が作動中または保管されている間、閉じることができる蓋（４３０）を含む。タッチスクリーンユーザインタフェース（４４０）は、データを入力して、アッセイに関する情報を表示するために存在する。第２のステーション（４２０）は、反応チャンバー（２００）上に存在するバーコードまたは類似のコードを自動的に検出するためのバーコドリーダまたは類似の装置を含み得る。第１のステーション（４１０）および第２のステーション（４２０）は、試料収集容器（３００）および反応チャンバー（２００）の内容物を加熱するまたは冷却することに適応し得る。第２のステーション（４２０）は、光学、蛍光または他のモニタリングおよび／またはマイクロチューブ（２２０）の撹拌を行うようにも適応し得る。
【０１４０】
図１３ａ〜図１３ｅは、使用中の装置の略図を表す。
【０１４１】
図１３ａは、第１の部分（１４１）から分けられた第２の部分（１４２）を含む使用前の装置を示す。カップ形計量部材（１４３）は、試料チャンバー（１４６）を計量チャンバー（１４４）から分けている輪状シール（１４５）に当接される計量チャンバー（１４４）の最上部にある。
【０１４２】
図１３ｂにおいて、生液体試料（１４７）は、試料チャンバー（１４６）および計量チャンバー（１４４）内のカップ形計量部材（１４３）に導入されている。好ましくは、液体のレベルは、輪状シール（１４５）を上回る。
【０１４３】
図１３ｃにおいて、可動アクチュエータ（１４８）は試料チャンバー（１４６）を通って計量チャンバー（１４４）内に下げられ、したがってその遠位端は計量部材（１４３）に係合し、可動アクチュエータ（１４８）のショルダー部（１４１０）は環状シール（１４５）とほぼ係合するところである。輪状シール（１４５）がショルダー部（１４１０）より遠位のアクチュエータ（１４８）の外壁（１４１１）に係合するとき、図１３ｄに示すようにカップ形計量部材（１４３）中の液体の量は処理のために計量された液体（１４１２）の所定量である。
【０１４４】
図１３ｄにおいて、可動アクチュエータ（１４８）は、計量チャンバー（１４４）に沿って計量部材（１４３）を移動させ、計量チャンバー（１４４）の下部（１４１３）の容積を縮小し、上部（１４１４）の容積を増加させた。計量チャンバー（１４４）の下部および上部は、計量チャンバーの壁内の圧力放出チャネル（１４１５）によって流体連通されている。可動アクチュエータ（１４８）が計量チャンバー（１４４）に進むと、計量チャンバー（１４４）の内部容積は縮小し、それによってそれに含有されている空気の圧力が上昇する。これは、計量チャンバー（１４４）内の空気圧力を上昇さて、次に計量された液体試料（１４１２）が計量チャンバー（１４４）から可動アクチュエータ（１４８）内に位置している出口チャネル（図示せず）を通って押しだされる。
【０１４５】
図１３ｅに示すように、可動アクチュエータ（１４８）が完全に押し下げられると、可動アクチュエータ（１４８）によって移動された計量チャンバー（１４４）内の空気の量は、計量された液体試料の量を超え、その結果、実質的にすべての液体は計量チャンバー（１４４）から出口チャネル（図示せず）を通って押しだされる。未処理の生試料（１４１６）は、安全な処分のために試料チャンバー（１４６）内に保管される。
【図１】
2018538548.tif 000003
【図２】
2018538548.tif 000004
【図３】
2018538548.tif 000005
【図４】
2018538548.tif 000006
【図５】
2018538548.tif 000007
【図６ａ】
2018538548.tif 000008
【図６ｂ】
2018538548.tif 000009
【図７ａ】
2018538548.tif 000010
【図７ｂ】
2018538548.tif 000011
【図８ａ】
2018538548.tif 000012
【図８ｂ】
2018538548.tif 000013
【図９】
2018538548.tif 000014
【図１０】
2018538548.tif 000015
【図１１】
2018538548.tif 000016
【図１２】
2018538548.tif 000017
【図１３ａ】
2018538548.tif 000018
【図１３ｂ】
2018538548.tif 000019
【図１３ｃ】
2018538548.tif 000020
【図１３ｄ】
2018538548.tif 000021
【図１３ｅ】
2018538548.tif 000022
【国際調査報告】
2018538548.tif 000023
2018538548.tif 000024
2018538548.tif 000025
2018538548.tif 000026
2018538548.tif 000027
2018538548.tif 000028